(57)【要約】  本開示は、比較的高い印刷濃度の区域と、比較的低い印刷濃度の区域と、を含む図柄を有する構成要素を備える吸収性物品に関する。具体的には、製造された吸収性物品に組み込まれるべき基材及び／又は構成要素は、図柄が位置する領域で実行される不正確な、及び／又は調和に欠けた組み立て操作の目立つ、目に見える結果を機能的に緩和するような方法で配置され得る、及び／又は印刷され得る図柄を含む。
2017538501.tif 000002
【特許請求の範囲】
【請求項１】
吸収性物品であって、
第１の長手方向側縁部（１１１ａ）から第２の長手方向側縁部（１１１ｂ）まで横方向に延在し、かつ、外側横方向端縁部（１０７ａ）から内側横方向端縁部（１０７ｂ）まで長手方向に延在する、第１の弾性ベルト（１０６）であって、中央領域（１０６ｃ）により互いに分離される第１の末端領域（１０６ａ）と、横方向に対向する第２の末端領域（１０６ｂ）と、を更に含む、第１の弾性ベルト（１０６）と、
第１の長手方向側縁部（１１３ａ）から第２の長手方向側縁部（１１３ｂ）まで横方向に延在し、かつ、外側横方向端縁部（１０９ａ）から内側横方向端縁部（１０９ｂ）まで長手方向に延在する、第２の弾性ベルト（１０８）であって、中央領域（１０８ｃ）により互いに分離される第１の末端領域（１０８ａ）と、横方向に対向する第２の末端領域（１０８ｂ）と、を更に含む、第２の弾性ベルト（１０８）と、
トップシート（１３８）と、バックシート（１３６）と、トップシート（１３８）とバックシート（１３６）との間に配置された吸収性コア（１４０）と、を含む、シャーシ（１０２）であって、前記シャーシ（１０２）が、股部領域（１１９）により互いに分離される第１の腰部領域（１１６）と、第２の腰部領域（１１８）と、を更に含み、第１の腰部領域（１１６）が、第１の弾性ベルト（１０６）の中央領域（１０６ｃ）と接続され、第２の腰部領域（１１８）が、第２の弾性ベルト（１０８）の中央領域（１０８ｃ）と接続される、シャーシ（１０２）と、
第１の弾性ベルト（１０６）上の第１の図柄（Ｇ１）であって、前記第１の図柄（Ｇ１）が、第１の最大印刷濃度を含む第１の区域（ＺＨ１）と、第２の最大印刷濃度を含む第２の区域（ＺＬ１ａ）と、を含み、前記第２の最大印刷濃度が前記第１の最大印刷濃度の約３０％以下であり、第２の区域（ＺＬ１ａ）が第１の区域（ＺＨ１）から第１の弾性ベルト（１０６）の第１の長手方向側縁部（１１１ａ）まで延在する、第１の図柄（Ｇ１）と、
第２の弾性ベルト（１０８）上の第２の図柄（Ｇ２）であって、前記第２の図柄（Ｇ２）が、第１の最大印刷濃度を含む第１の区域（ＺＨ２）と、第２の最大印刷濃度を含む第２の区域（ＺＬ２ａ）と、を含み、前記第２の最大印刷濃度が前記第１の最大印刷濃度の約３０％以下であり、第２の区域（ＺＬ２ａ）が第１の区域（ＺＨ２）から第２の弾性ベルト（１０８）の第１の長手方向側縁部（１１３ａ）まで延在する、第２の図柄（Ｇ２）と、を含み、
第１の図柄（Ｇ１）の第２の区域（ＺＬ１ａ）が第２の図柄（Ｇ２）の第２の区域（ＺＬ２ａ）と揃えられて連続デザインを形成するように、第１の弾性ベルト（１０６）の第１の末端領域（１０６ａ）が第２の弾性ベルト（１０８）の第１の末端領域（１０８ａ）と接続される、吸収性物品。
【請求項２】
第１の弾性ベルト（１０６）及び第２の弾性ベルト（１０８）が、第１及び第２の図柄（Ｇ１、Ｇ２）の第２の区域（Ｚ１１ａ、ＺＬ２ａ）において追加図柄を欠いている、請求項１に記載の吸収性物品。
【請求項３】
第１の弾性ベルト（１０６）が、第１の長手方向側縁部（１１１ａ）と第２の長手方向側縁部（１１１ｂ）との間のピッチ長さＰＬを画定し、第１の図柄（Ｇ１）の第２の区域（ＺＬ１ａ）が長さＬを画定し、前記ピッチ長さＰＬが前記第２の区域の長さＬの約１０倍以上である、請求項１又は２に記載の吸収性物品。
【請求項４】
第１の図柄（Ｇ１）が、内側横方向端縁部（１０７ｂ）から第１の弾性ベルト（１０６）の第１の長手方向側縁部（１１１ａ）まで連続的に延在する、請求項１〜３のいずれか一項に記載の吸収性物品。
【請求項５】
シャーシ（１０２）上の第３の図柄（Ｇ３）を更に含み、第３の図柄（Ｇ３）が、第１の弾性ベルト（１０６）の内側横方向端縁部（１０７ｂ）において第１の図柄（Ｇ１）と揃えられて連続デザインを画定する、請求項１〜４のいずれか一項に記載の吸収性物品。
【請求項６】
第１の弾性ベルト（１０６）が、外側横方向端縁部（１０７ａ）と内側横方向端縁部（１０７ｂ）との間を延在する幅Ｗ１を画定し、第１の図柄（Ｇ１）の第２の区域（ＺＬ１ａ）が、第１の弾性ベルト（１０６）の幅Ｗ１よりも小さい幅Ｗｇを画定する、請求項１〜５のいずれか一項に記載の吸収性物品。
【請求項７】
第２の弾性ベルト（１０８）が、外側横方向端縁部（１０９ａ）と内側横方向端縁部（１０９ｂ）との間を延在する幅Ｗ２を画定し、第２の図柄（Ｇ２）の第２の区域（ＺＬ２ａ）が、第２の弾性ベルト（１０８）の幅Ｗ２よりも小さい幅Ｗｚ２を画定する、請求項１〜６のいずれか一項に記載の吸収性物品。
【請求項８】
第１の弾性ベルト（１０６）が、
第１の表面及び対向する第２の表面を備える第１の基材（１６２）と、
第１の表面及び対向する第２の表面を備える第２の基材（１６４）と、
第１の基材（１６２）の前記第１の表面と第２の基材（１６４）の前記第１の表面との間に接合された弾性材料（１６８）と、を含み、
シャーシ（１０２）が第２の基材（１６４）の前記第２の表面に接合され、第１の基材（１６２）の前記第２の表面が衣類に面する表面を画定する、請求項１〜７のいずれか一項に記載の吸収性物品。
【請求項９】
第１の図柄（Ｇ１）が、第１の基材（１６２）の前記第１の表面上に印刷される、請求項８に記載の吸収性物品。
【発明の詳細な説明】
【技術分野】
【０００１】
本開示は吸収性物品に関し、より具体的には、比較的高い印刷濃度の区域と、比較的低い印刷濃度の区域と、を含む図柄を有する構成要素を備える吸収性物品に関し、比較的低い印刷濃度の区域は、組み立てられた構成要素間で揃えられて連続デザインを形成する。
【背景技術】
【０００２】
前進する連続的な材料のウェブに構成要素を加えること及び他の方法によってこれを修正することによって、おむつ及び様々な種類の他の使い捨て吸収性物品をアセンブリラインに沿って組み立てることができる。おむつを製造するために使用される材料のウェブ及び構成部品としては、バックシート、トップシート、吸収性コア、前側耳部及び／又は後側耳部、締結構成部品、並びに様々な種類の弾性ウェブ及び構成部品、例えば脚部弾性部材、バリアレッグカフ弾性部材、及び腰部弾性部材が挙げられる。
【０００３】
一部の消費者は、上に様々な種類の異なる図柄が印刷されている、おむつなどの吸収性物品を購入するのを好む場合がある。場合によっては、消費者は、おむつの大部分にわたって連続的に延在するデザインを有するおむつを好む場合がある。したがって、いくつかの構成では、おむつは、組み立てられた構成要素にわたって連続的に延在するように見える図柄を含んでよい。このようなおむつの製造時には、図柄が印刷された材料の連続基材は、組み合わされておむつを形成する異なる構成要素に加工されてよい。組み立てプロセス中には、上に図柄が印刷された材料の基材は、組み合わされて吸収性物品を形成する前に、折り畳み、接合、トリミング、及び／又は切断など様々なプロセス転換を受けてよい。しかしながら、様々なプロセス転換、及び／又は図柄が位置する領域内での他の印刷された構成要素との組み合わせ操作を受けることは、見た目に美しい最終アセンブリを維持しようとするときに課題を生み出すことがある。例えば、印刷されたある構成要素を印刷された別の構成要素の上に不正確に配置すると、別個の構成要素上の図柄が接合されていないように見えるときに明らかに目立つことがある、及び／又は構成要素が組み合わされたときに揃わないことがある。
【発明の概要】
【発明が解決しようとする課題】
【０００４】
結果として、組み立てられた構成要素にわたって連続的に延在するように見えるデザインを備え、組み立てられた構成要素が、組み立てられた構成要素間でのこのような図柄の不揃いの目立つ結果を機能的に緩和するような方法で印刷された、及び／又は配置された図柄を含む、吸収性物品の必要性が残っている。
【課題を解決するための手段】
【０００５】
本開示は、比較的高い印刷濃度の区域と、比較的低い印刷濃度の区域と、を含む図柄を有する構成要素を備える吸収性物品に関する。したがって、製造された吸収性物品に組み込まれるべき基材及び／又は構成要素は、図柄が位置する領域で実行される不正確な、及び／又は調和に欠けた組み立て操作の目立つ、目に見える結果を機能的に緩和するような方法で配置されてよい、及び／又は印刷されてよい図柄を含む。
【０００６】
ある形態では、吸収性物品は、第１の長手方向側縁部から第２の長手方向側縁部まで横方向に延在し、かつ、外側横方向末端縁部から内側横方向端縁部まで長手方向に延在する、第１の弾性ベルトであって、中央領域により互いに分離される第１の末端領域と、横方向に対向する第２の末端領域と、を更に含む、第１の弾性ベルトと、第１の長手方向側縁部から第２の長手方向側縁部まで横方向に延在し、かつ、外側横方向端縁部から内側横方向端縁部まで長手方向に延在する、第２の弾性ベルトであって、中央領域により互いに分離される第１の末端領域と、横方向に対向する第２の末端領域と、を更に含む、第２の弾性ベルトと、トップシートと、バックシートと、トップシートとバックシートとの間に配置された吸収性コアと、を含む、シャーシであって、シャーシが、股部領域により互いに分離される第１の腰部領域と、第２の腰部領域と、を更に含み、第１の腰部領域が、第１の弾性ベルトの中央領域と接続され、第２の腰部領域が、第２の弾性ベルトの中央領域と接続される、シャーシと、第１の弾性ベルト上の第１の図柄であって、第１の図柄は、第１の最大印刷濃度を含む第１の区域と、第２の最大印刷濃度を含む第２の区域と、を含み、第２の最大印刷濃度は第１の最大印刷濃度の約３０％以下であり、第２の区域は第１の区域から第１の弾性ベルトの第１の長手方向側縁部まで延在する、第１の図柄と、第２の弾性ベルト上の第２の図柄であって、第２の図柄は、第１の最大印刷濃度を含む第１の区域と、第２の最大印刷濃度を含む第２の区域と、を含み、第２の最大印刷濃度は第１の最大印刷濃度の約３０％以下であり、第２の区域は第１の区域から第２の弾性ベルトの第１の長手方向側縁部まで延在し、第１の弾性ベルトの第１の末端領域は、第１の図柄の第２の区域が第２の図柄の第２の区域と揃えられて連続デザインを形成するように、第２の弾性ベルトの第１の末端領域と接続される、第２の図柄と、を含む。
【０００７】
別の形態では、吸収性物品は、第１の長手方向側縁部から第２の長手方向側縁部まで横方向に延在し、かつ、外側横方向端縁部から内側横方向端縁部まで長手方向に延在する、第１の弾性ベルトであって、中央領域により互いに分離される第１の末端領域と、横方向に対向する第２の末端領域と、を更に含む、第１の弾性ベルトと、第１の長手方向側縁部から第２の長手方向側縁部まで横方向に延在し、かつ、外側横方向端縁部から内側横方向端縁部まで長手方向に延在する第２の弾性ベルトであって、第２の弾性ベルトは、中央領域により互いに分離される第１の末端領域と、横方向に対向する第２の末端領域と、を更に含み、第１の弾性ベルトの第１の末端領域は、第２の弾性ベルトの第１の末端領域と接続され、第１の弾性ベルトの第２の末端領域は、第２の弾性ベルトの第２の末端領域と接続される、第２の弾性ベルトと、第１の弾性ベルト上の第１の図柄であって、第１の図柄は、第１の最大印刷濃度を含む第１の区域と、第２の最大印刷濃度を含む第２の区域と、を含み、第２の最大印刷濃度は第１の最大印刷濃度の約３０％以下であり、第２の区域は第１の区域から第１の弾性ベルトの内側横方向端縁部まで延在する、第１の図柄と、トップシートと、バックシートと、トップシートとバックシートとの間に配置された吸収性コアと、を含む、シャーシであって、股部領域により互いに分離される第１の腰部領域と、第２の腰部領域と、を更に含むシャーシと、シャーシ上の第２の図柄であって、第２の図柄は、第１の最大印刷濃度を含む第１の区域と、第２の最大印刷濃度を含む第２の区域と、を含み、第２の最大印刷濃度は第１の最大印刷濃度の約２５％以下であり、第２の区域は第１の区域から第１の腰部領域まで延在し、シャーシの第１の腰部領域は、第１の図柄の第２の区域が第２の図柄の第２の区域と揃えられて連続デザインを形成するように、第１の弾性ベルトの中央領域と接続される、第２の図柄と、を含む。
【０００８】
更に別の形態では、吸収性物品は、外面と、対向する内面と、を含み、第１の横方向端縁部から第２の横方向端縁部まで長手方向に延在し、かつ、第１の長手方向側縁部から第２の長手方向側縁部まで横方向に延在する外側カバーであって、股部領域により互いに分離される第１の腰部領域と、第２の腰部領域と、を含む、外側カバーと、外側カバーの内面と接続されるシャーシであって、シャーシは、トップシートと、バックシートと、トップシートとバックシートとの間に配置された吸収性コアと、を含み、股部領域にわたって延在するシャーシと、第１の腰部領域内の外側カバー上の第１の図柄であって、第１の図柄は、第１の最大印刷濃度を含む第１の区域と、第２の最大印刷濃度を含む第２の区域と、を含み、第２の最大印刷濃度は第１の最大印刷濃度の約３０％以下であり、第２の区域は第１の区域から外側カバーの第１の長手方向側縁部まで延在する、第１の図柄と、第２の腰部領域内の外側カバー上の第２の図柄であって、第２の図柄は、第１の最大印刷濃度を含む第１の区域と、第２の最大印刷濃度を含む第２の区域と、を含み、第２の最大印刷濃度は第１の最大印刷濃度の約３０％以下であり、第２の区域は第１の区域から外側カバーの第１の長手方向側縁部まで延在する、第２の図柄と、外側カバーの股部領域にわたって横方向に延在する折り目であって、第１の腰部領域は第２の腰部領域と接続されて、股部開口部を形成する、折り目と、周囲縁部によって画定される第１の脚部開口部と、周囲縁部によって確定される第２の脚部開口部と、を含み、第１の図柄の第２の区域は第２の図柄の第２の区域と揃えられて、連続デザインを形成する。
【図面の簡単な説明】
【０００９】
【図１Ａ】おむつパンツの前側斜視図である。
【図１Ｂ】おむつパンツの後側斜視図である。
【図２Ａ】平らな非収縮状態の、図１Ａ及び１Ｂに示すおむつパンツの部分切り取り平面図である。
【図２Ｂ】平らな非収縮状態であり、前側及び後側の内側ベルト縁部に沿って配置された低彩度区域を有する図柄を含む、図１Ａ及び１Ｂに示すおむつパンツの平面図である。
【図３Ａ】線３Ａ−３Ａに沿った図２Ａのおむつパンツの断面図である。
【図３Ｂ】線３Ｂ−３Ｂに沿った図２Ａのおむつパンツの断面図である。
【図４Ａ】ベルト及びシャーシ図柄を揃えた吸収性物品の正面図である。
【図４Ｂ】図４Ａの吸収性物品の背面図である。
【図５】図４Ａの吸収性物品の揃えられたベルト図柄の詳細側面図である。
【図６】連続外側カバーと共に組み立てられたおむつパンツの前側斜視図である。
【図７】平らな非収縮状態の、図６に示すおむつパンツの部分切り取り平面図である。
【図８Ａ】揃えられた外側カバー図柄を含む、図６のおむつパンツの前側平面図である。
【図８Ｂ】図８Ａのおむつパンツの後側平面図である。
【図９】図８Ａの吸収性物品の揃えられた外側カバー図柄の詳細側面図である。
【図１０】不織布及びフィルムのスクリーン値に応じた印刷濃度値を示すグラフである。
【図１１】パッケージ幅を示す吸収性物品のパッケージの側面図であり、パッケージの外面は、分かりやすくするために透明として図示されている。
【発明を実施するための形態】
【００１０】
本開示を理解する上で、以下の用語説明が有用であり得る。
【００１１】
本明細書で使用するとき、「吸収性物品」は、主な機能が汚れ及び排泄物を吸収及び保持することである消費者製品を指すために用いられる。本明細書で使用するとき、「おむつ」は、一般的に、乳幼児及び失禁症状のある人によって、胴体下部周囲に着用される吸収性物品を指すために用いられる。本明細書で使用するとき、用語「使い捨て」は、洗濯されること、又は吸収性物品として再生若しくは再使用されることが一般に意図されない吸収性物品を説明するために使用される（例えば、１回の使用後に廃棄されることが意図され、更に、リサイクルされるか、堆肥化されるか、又は環境に適合した方法で処分されるように構成されてもよい）。
【００１２】
「弾性」、「エラストマー」又は「エラストマー性」は、弾性特性を示す材料を指し、これには、その弛緩した初期長さに力を加えると、その初期長さの１０％を超えて上回る伸長長さに伸張又は伸長することが可能であり、かつ適用した力が解放された後で、ほぼその初期長さに実質的に回復する任意の材料が含まれる。
【００１３】
本明細書で使用するとき、用語「結合されている」は、ある要素を別の要素に直接取り付けることによって、その要素がその別の要素に直接取り付けられる構成、及びある要素を中間部材（１つ又は２つ以上）に取り付けてから、その中間部材を別の要素に取り付けることによって、その要素がその別の要素に間接的に取り付けられる構成を包含する。
【００１４】
本明細書で使用するとき、用語「図柄」は、基材の印刷された領域を指す。図柄は、色差又は１つ若しくは２つ以上の色の遷移を含んでよく、図（例えば、線、記号、又は文字）又は同様のもので構成される画像又はデザインを画定してよい。図柄は、見たときに特定の利益がもたらされ得る美的画像又はデザインを含み得る。図柄は、写真画像の形状であってよい。図柄はまた、１次元（１−Ｄ）若しくは２次元（２−Ｄ）バーコード又はクイックレスポンス（ＱＲ）バーコードの形状であってもよい。図柄デザインは、例えば、図柄に使用される色（個々の純粋インク又はスポットカラー並びに作られたプロセスカラー）、図柄全体（又は図柄の構成成分）のサイズ、図柄（又は図柄の構成成分）の位置、図柄（又は図柄の構成成分）の動き、図柄（又は図柄の構成成分）の幾何学的形状、図柄内の色の数、図柄内の色混合の変化、印刷された図柄の数、図柄内の色の消失、及び図柄内のテキストメッセージの内容によって決定される。
【００１５】
本明細書に記載される全ての図柄は、本明細書に示したものとは異なる様々な形態、形状、及び／又は寸法であってよいことが理解されよう。本明細書に記載される図柄は、異なる図柄、標準図柄、カスタム図柄、及び／又は個別化図柄であるように構成されてよいことも理解されよう。「図柄デザインの点で異なっている」とは、ユーザー又は消費者が通常の注意力で見た場合に図柄が異なっていることを意図している。したがって、例えば、製造プロセスにおける問題又は誤差に起因して意図せず発生した図柄の違いを有する２つの図柄は、図柄デザインの点で互いに異なっていない。「標準」又は「標準化された」は、互いに異なることを意図しないで、同一の美的外観を有する図柄、製品、及び／又は物品を指す。用語「カスタム」又は「カスタマイズされた」は、小規模の人口統計、地域、購入者、顧客などに合わせて変更される図柄、製品、及び／又は物品を指す。カスタム図柄は、１組の図柄から選択されてよい。例えば、カスタム図柄は、家畜、海洋生物、鳥類など動物のグループから選択された動物の描写を含んでもよい。他の例において、カスタム図柄は、童謡などを含んでもよい。１つのシナリオにおいて、カスタム製品又は物品は、そのような製品又は物品の購入者によって作製されてよく、購入者はかかる物品又は製品のメーカーから提供される一連の図柄から、物品又は製品用の図柄を選択する。カスタム図柄はまた、「個別化された」図柄を含んでもよく、その図柄は特定の購入者のために作製された図柄であってよい。例えば、個別化された図柄は、個人の名前のみ又はデザインとの組み合わせを含んでよい。
【００１６】
「長手方向」とは、吸収性物品が広げられた収縮していない状態にあるときの物品の腰部縁部から、長手方向に対向する腰部縁部まで、又は、腰部縁部から股部の底、すなわち、２つに折り畳まれた物品の折り目まで、実質的に垂直に走る方向を意味する。長手方向の４５度以内の方向は、「長手方向である」と考えられる。「横方向」は、物品の長手方向に延在する側縁部から、横方向に対向する長手方向に延在する側縁部までわたり、かつ長手方向にほぼ垂直である方向を指す。横方向の４５度以内の方向は、「横方向」であると考えられる。
【００１７】
用語「基材」は、本明細書において、主に２次元（すなわち、ＸＹ平面）であり、厚さ（Ｚ方向）がその長さ（Ｘ方向）及び幅（Ｙ方向）と比べて比較的小さい（すなわち１／１０以下）材料を説明するために用いられる。基材の非限定的な例としては、ウェブ、繊維性材料の層（単数又は複数）、不織布、高分子フィルム又は金属箔などのフィルム及び箔が挙げられる。これらの材料は、単独で使用されてもよいし、又は一体に積層化された２つ以上の層を含んでもよい。そのような形態では、ウェブは基材である。
【００１８】
本明細書において、用語「不織布」は、スパンボンド、メルトブロー、毛羽立て加工などのプロセスによって、連続的な（長い）フィラメント（繊維）及び／又は非連続的な（短い）フィラメント（繊維）から作製された材料を指す。不織布は、織られた又は編まれたフィラメントパターンを有しない。
【００１９】
本明細書において、用語「機械方向」（ＭＤ）は、あるプロセスを通過する材料の流れの方向を指して使用される。更に、材料の相対的な配置及び移動は、プロセスの上流からプロセスの下流まで、プロセスを通して機械方向に流れるものとして説明することができる。
【００２０】
用語「横断方向」（ＣＤ）は、本明細書において、機械方向に対して概ね垂直な方向を指すために使用される。
【００２１】
本明細書において、用語「パンツ」（「トレーニングパンツ」、「予め閉じたおむつ」、「おむつパンツ」、「パンツ型おむつ」、及び「プルオンおむつ」とも称される）は、幼児又は成人の着用者のために設計された、連的な外辺部腰部開口部及び連続的な外辺部脚部開口部を有する使い捨て吸収性物品を指す。パンツは、物品が着用者に着用される前に、連続的な又は閉じた腰部開口部、及び少なくとも１つの連続的な、閉じた脚部開口部を有して構成されることができる。パンツは、任意の再締結可能な及び／又は恒久的なクロージャ部材（例えば、シーム、熱接合、圧力溶接、接着剤、粘着接合、機械的締結具など）を使用して物品の部分を一体に結合することが挙げられるがこれらに限定されない、種々の技術で予備成形され得る。パンツは、腰部領域において物品の外周部に沿った任意の場所で予備成形され得る（例えば、側部が締結又は継ぎ合わされている、前側腰部が締結又は継ぎ合わされている、後側腰部が締結又は継ぎ合わされている）。
【００２２】
光学濃度も指すことがある、用語「印刷濃度」は、本明細書で提供する、印刷色及び印刷濃度の測定方法によって分光光度計を使用して測定した、印刷物の反射濃度を指す。
【００２３】
本開示は、比較的高い印刷濃度の区域と、比較的低い印刷濃度の区域と、を含む印刷された図柄を有する構成要素を備える吸収性物品に関する。より具体的には、本明細書に記載される製造された吸収性物品に組み込まれるべき基材及び／又は構成要素は、図柄が位置する領域で実行される不正確な、及び／又は調和に欠けた組み立て操作の目立つ、目に見える結果を機能的に緩和するような方法で配置されてよい、及び／又は印刷されてよい図柄を含む。以下でより詳細に説明するように、組み立てられたおむつは、製造中に組み合わされる構成要素を含んでよく、各構成要素は図柄を含む。構成要素は、互いに揃えられて、組み立てられた構成要素にわたって延在する連続デザインの外観を形成するように組み立てられる。加えて、図柄は、構成要素が組み合わされる領域に配置される比較的低い印刷濃度の区域を含む。したがって、低印刷濃度の区域は、印刷されたある構成要素を印刷された別の構成要素の上に不正確に配置したことによる目立つ結果を緩和するのに役立ってよく、別個の構成要素上の図柄は、そうでなければ、接合されていないように見える、及び／又は揃って見えないことがある。
【００２４】
図１Ａ、１Ｂ、２Ａ、及び２Ｂは、本明細書に開示される図柄構成によって組み立てられてよい、おむつパンツ１００の一例を示す。具体的には、図１Ａ及び１Ｂは、予め締結された構成のおむつパンツ１００の斜視図を示し、図２Ａ及び２Ｂは、着用者から見て外方に向くおむつの部分を、見る人に向かって配置した、おむつパンツ１００の平面図を示す。おむつパンツ１００は、シャーシ１０２及び環状弾性ベルト１０４を含む。以下で更に詳述されるように、第１の弾性ベルト１０６及び第２の弾性ベルト１０８は合着されて、環状弾性ベルト１０４を形成する。
【００２５】
図２Ａ及び２Ｂを続けて参照すると、おむつパンツ１００及びシャーシ１０２は、第１の腰部領域１１６、第２の腰部領域１１８、及び第１の腰部領域と第２の腰部領域との中間に配置された股部領域１１９をそれぞれ含む。第１の腰部領域１１６は、前側腰部領域として構成されてもよく、第２の腰部領域１１８は、後側腰部領域として構成されてもよい。いくつかの実施形態では、前側腰部領域、後側腰部領域、及び股部領域のそれぞれの長さは、吸収性物品１００の長さの１／３であり得る。おむつ１００はまた、前側腰部領域１１６で横方向に延在する前側腰部縁部１２１、及び長手方向に対向し、後側腰部領域１１８で横方向に延在する後側腰部縁部１２２を含んでもよい。本考察に関する基準枠を提供するため、図２Ａ及び２Ｂのおむつ１００及びシャーシ１０２は、長手方向軸線１２４及び横断方向軸線１２６と共に示される。いくつかの実施形態では、長手方向軸１２４は、前側腰部縁部１２１を通り、かつ後側腰部縁部１２２を通って延在してもよい。横軸１２６は、シャーシ１０２の第１の長手方向又は右側縁部１２８を通り、かつ第２の長手方向又は左側縁部１３０の中間点を通って延在してもよい。
【００２６】
図１Ａ、１Ｂ、２Ａ、及び２Ｂに示すように、おむつパンツ１００は、内側の、身体に面する表面１３２、及び外側の、衣類に面する表面１３４を含み得る。シャーシ１０２は、バックシート１３６及びトップシート１３８を含んでもよい。シャーシ１０２はまた、トップシート１３８の一部とバックシート１３６との間に配置された吸収性コア１４２を含む吸収性アセンブリ１４０を含んでもよい。以下により詳細に説明されるように、おむつ１００はまた、着用者の脚のまわりのフィット性を高めるために、脚部弾性体及び／又はレッグカフなどの他の特徴を含んでもよい。
【００２７】
図２Ａ及び２Ｂに示すように、シャーシ１０２の外周部は、第１の長手方向側縁部１２８、第２の長手方向側縁部１３０、第１の腰部領域１１６内に配置される第１の横方向に延在する端縁部１４４、及び第２の腰部領域１１８内に配置される第２の横方向に延在する端縁部１４６によって画定され得る。側縁部１２８及び１３０の双方は、第１の端縁部１４４と第２の端縁部１４６との間で長手方向に延在する。図２Ａに示すように、横方向に延在する端縁部１４４及び１４６は、前側腰部領域１１６内の横方向に延在する前側腰部縁部１２１、及び後側腰部領域１１８内の横方向に延在する後側腰部縁部１２２から、長手方向内側に位置する。おむつパンツ１００が着用者の下胴部に着用されるとき、前側腰部縁部１２１及び後側腰部縁部１２２は、着用者の腰部の部分を取り囲んでもよい。同時に、側縁部１２８及び１３０は、着用者の脚の少なくとも一部分を取り囲んでもよい。股部領域１１９は、着用者の脚の間に概ね位置決めされ、吸収性コア１４２は、前側腰部領域１１６から股部領域１１９を通って後側腰部領域１１８まで延在してもよい。
【００２８】
おむつ１００の一部又は全体はまた、横方向に延伸性があるように作製され得ることもまた理解されたい。追加の延伸性は、着用者の動作中におむつ１００が着用者の身体に順応するのに役立ち得る。追加の延伸性はまた、異なる寸法の着用者のための追加の身体適用範囲を提供するために、すなわち、おむつを個々の着用者に合わせて調整するために、例えば、延伸前に特定の大きさを有するシャーシ１０２を含むおむつ１００のユーザーが、おむつ１００の前側腰部領域１１６、後側腰部領域１１８、若しくは両方の腰部領域、及び／又はシャーシ１０２を延伸させるのに役立ち得る。（１つ又は複数の）腰部領域のそのような延伸は、股部領域が腰部領域（１つ又は複数の）より相対的に小さい程度に延在する限り、吸収性物品に略砂時計形状を与えることがあり、また物品が着用されたときに、ぴったり合った外観をそれに付与することがある。
【００２９】
上述のように、おむつパンツ１００はバックシート１３６を含んでもよい。バックシート１３６は、シャーシ１０２の外面１３４も画定し得る。バックシート１３６は、液体（例えば、経血、尿及び／又は液状の糞便）に対して不透過性であってもよく、薄いプラスチックフィルムから部分的に製造されてもよいが、他の可撓性の液体不透過性材料もまた使用されてもよい。バックシート１３６は、吸収性コア中に吸収及び含有された排泄物が、ベッドシート、パジャマ、及び下着などのおむつ１００に接触する物品を濡らすことを防ぐことができる。また、バックシート１３６は、織布若しくは不織布材料、ポリエチレン若しくはポリプロピレンの熱可塑性フィルムなどの高分子フィルム、並びに／又は、フィルム及び不織布材料を含む（例えば、内側フィルム層及び外側不織布層を有する）多層又は複合材料を含んでもよい。バックシートはまた、エラストマーフィルムを含んでもよい。バックシート１３６の一例としては、約０．０１２ｍｍ（０．５ミル）〜約０．０５１ｍｍ（２．０ミル）の厚さを有するポリエチレンフィルムであってもよい。例示的なポリエチレンフィルムは、ＢＲ−１２０及びＢＲ−１２１の商品名でＣｌｏｐａｙ  Ｃｏｒｐｏｒａｔｉｏｎ（Ｃｉｎｃｉｎｎａｔｉ，Ｏｈｉｏ）によって、及び、ＸＰ−３９３８５の商品名でＴｒｅｄｅｇａｒ  Ｆｉｌｍ  Ｐｒｏｄｕｃｔｓ  ｏｆ  Ｔｅｒｒｅ  Ｈａｕｔｅ，Ｉｎｄ．によって製造されている。バックシート１３６はまた、より布様の外観を提供するために、エンボス加工及び／又はつや消し仕上げされてもよい。更に、バックシート１３６は、排泄物がバックシート１３６から通過するのを防止しながら、吸収性コアから水蒸気を逃がすことができてもよい（つまり、バックシートは通気性である）。バックシート１３６のサイズは、吸収性コア１４２のサイズ、及び／又はおむつ１００の特定の形態若しくはサイズによって決定されてもよい。
【００３０】
また上述のように、おむつパンツ１００はトップシート１３８を含んでもよい。トップシート１３８は、シャーシ１０２の内面１３２の全体又は部分も画定し得る。トップシート１３８は、柔軟であり、ソフトな感触を有し、着用者の皮膚に対して刺激性がないようにすることができる。トップシート１３８は、１方向又は２方向に弾性的に伸縮性であってもよい。更に、トップシート１３８は、液体（例えば、経血、尿、及び／又は液状の糞便）がその厚さを浸透できるように、液体透過性であってもよい。トップシート１３８は、織布材料及び不織布材料、孔あきの、又はハイドロフォーミングされた熱可塑性フィルム、孔あき不織布、多孔質発泡体、網状発泡体、網状熱可塑性フィルム、及び熱可塑性スクリムなどの、様々な材料から製造できる。織布及び不織布材料は、天然繊維、例えば木部若しくは綿繊維、合成繊維、例えばポリエステル、ポリプロピレン、若しくはポリエチレン繊維、又はこれらの組み合わせを含んでよい。トップシート１３８が繊維を含む場合、繊維は、スパンボンド法、カード法、ウェットレイド法、メルトブローン法、水流交絡法、又は当技術分野で周知の別の方法で処理することができる。
【００３１】
トップシート１３８は、嵩高不織布トップシート、孔あきフィルムトップシート、及び孔あき不織布トップシートから選択されてもよい。孔あきフィルムトップシートは、身体排泄物に透過性でありながら、実質的に非吸収性であってもよく、液体が逆戻りして着用者の皮膚を再度濡らしてしまう傾向が少ない。例示的な孔あきフィルムは、米国特許第５，６２８，０９７号、同第５，９１６，６６１号、同第６，５４５，１９７号、及び同第６，１０７，５３９号に記載されたものを含んでもよい。
【００３２】
上述のように、おむつパンツ１００はまた、シャーシ１０２に接合される吸収性アセンブリ１４０を含んでもよい。図２Ａに示すように、吸収性アセンブリ１４０は、前側腰部領域１１６内で横方向に延在する前側縁部１４８を有してもよく、後側腰部領域１１８内で、長手方向に対向しかつ横方向に延在する後側縁部１５０を有してもよい。吸収性アセンブリは、長手方向に延在する右側縁部１５２を有してもよく、また横方向に対向しかつ長手方向に延在する左側縁部１５４を有してもよく、吸収性アセンブリの側縁部１５２及び１５４はいずれも、前側縁部１４８と後側縁部１５０との間で長手方向に延在し得る。吸収性アセンブリ１４０は、１つ若しくは複数の吸収性コア１４２又は吸収性コア層を更に含んでもよい。吸収性コア１４２は、少なくとも部分的にトップシート１３８とバックシート１３６との間に配置されてもよく、おむつと互換性がある様々なサイズ及び形状で形成されてもよい。本開示の吸収性コアとして使用される例示的な吸収性構造体は、米国特許第４，６１０，６７８号、同第４，６７３，４０２号、同第４，８８８，２３１号、及び同第４，８３４，７３５号に記載されている。
【００３３】
いくつかの吸収性コアの実施形態は、低減量のセルロース系エアフェルト材料を含有する流体貯蔵コアを含んでもよい。例えば、こうしたコアは、約４０％、３０％、２０％、１０％、５％、又は更には約１％未満のセルロース系エアフェルト材料を含んでもよい。こうしたコアは主に、少なくとも約６０％、７０％、８０％、８５％、９０％、９５％、又は更には約１００％の量で、吸収性ゲル材料を含んでもよく、その場合コアの残部はマイクロファイバー接着剤を含む（適用可能な場合）。このようなコア、マイクロファイバー接着剤、及び吸収性ゲル材料は、米国特許第５，５９９，３３５号、同第５，５６２，６４６号、同第５，６６９，８９４号、及び同第６，７９０，７９８号、並びに、米国特許出願公開第２００４／０１５８２１２号、及び同第２００４／００９７８９５号に記載されている。
【００３４】
上述のように、おむつ１００はまた、弾性脚部カフ１５６を含んでもよい。レッグカフ１５６は、脚部バンド、サイドフラップ、バリヤカフ、弾性カフ、又はガスケッティングカフであり得、場合によってはそのように言及されることが理解されよう。弾性脚部カフ１５６は、脚部領域で身体排泄物の漏れを低減するのを助けるために、様々な方法で構成されてもよい。例示のレッグカフ１５６として、米国特許第３，８６０，００３号、同第４，９０９，８０３号、同第４，６９５，２７８号、同第４，７９５，４５４号、同第４，７０４，１１５号、同第４，９０９，８０３号、及び米国特許出願公開第２００９／０３１２７３０  Ａ１号に記載されるものを挙げることができる。
【００３５】
上述のように、おむつパンツは、環状弾性ベルト１０４を備えて製造されてもよく、着用者に適用される前に、包装の際に、前側腰部領域１１６と後側腰部領域１１８とが互いに接続された形態で消費者に提供されてもよい。そのように、おむつパンツは、図１Ａ及び図１Ｂに示されるような連続的な外辺部腰部開口部１１０及び連続的な外辺部脚部開口部１１２を有してよい。環状弾性ベルトは、恒久的サイドシーム、又は、横方向に対向するベルトの側部に、若しくはそれに隣接して配置される解放可能かつ再閉鎖可能な締結装置によって、第１の弾性ベルトを第２の弾性ベルトに結合することによって形成することができる。
【００３６】
上述のように、環状弾性ベルト１０４は、第２の弾性ベルト１０８と接続される第１の弾性ベルト１０６によって画定されてよい。図２Ａ及び２Ｂに示すように、第１の弾性ベルト１０６は、第１の長手方向側縁部１１１ａと第２の長手方向側縁部１１１ｂとの間を延在し、第１及び第２の対向する末端領域１０６ａ、１０６ｂ、及び中央領域１０６ｃを画定する。また、第２の弾性ベルト１０８（second elastic 108 belt）は、第１の長手方向側縁部１１３ａと第２の長手方向側縁部１１３ｂとの間を延在し、第１及び第２の対向する末端領域１０８ａ、１０８ｂ、及び中央領域１０８ｃを画定する。第１の長手方向側縁部１１１ａと第２の長手方向側縁部１１１ｂとの間の距離は、第１の弾性ベルト１０６のピッチ長さＰＬを画定し、第１の長手方向側縁部１１３ａと第２の長手方向側縁部１１３ｂとの間の距離は、第２の弾性ベルト１０８のピッチ長さＰＬを画定する。第１の弾性ベルトの中央領域１０６ｃは、シャーシ１０２の第１の腰部領域１１６と接続され、第２の弾性ベルト１０８の中央領域１０８ｃは、シャーシ１０２の第２の腰部領域１１６と接続される。図１Ａ及び図１Ｂに示されるように、第１の弾性ベルト１０６の第１の末端領域１０６ａは、第１のサイドシーム１７８において第２の弾性ベルト１０８の第１の末端領域１０８ａと接続され、第１の弾性ベルト１０６の第２の末端領域１０６ｂは、第２のサイドシーム１８０において第２の弾性ベルト１０８の第２の末端領域１０８ｂと接続されて、環状弾性ベルト１０４並びに腰部開口部１１０及び脚部開口部１１２を画定する。
【００３７】
第１及び第２の弾性ベルトが様々なピッチ長さＰＬを画定できることが理解されよう。例えば、いくつかの実施形態では、第１及び／又は第２の弾性ベルトのピッチ長さＰＬは、約３００ｍｍ〜約１１００ｍｍであってよい。
【００３８】
図２Ａ、３Ａ、及び３Ｂに示すように、第１の弾性ベルト１０６は、外側の横方向に延在する縁部１０７ａ及び内側の横方向に延在する縁部１０７ｂも画定し、第２の弾性ベルト１０８は、外側の横方向に延在する縁部１０９ａ及び内側の横方向に延在する縁部１０９ｂを画定する。したがって、脚部開口部の周囲縁部１１２ａは、第１の弾性ベルトの１０６の内側の横方向に延在する縁部１０７ｂ、第２の弾性ベルト１０８の内側の横方向に延在する縁部１０９ｂ、及びシャーシ１０２の第１の長手方向、つまり右側縁部１２８の部分によって画定されてよい。また、他の脚部開口部の周囲縁部１１２ｂは、内側の横方向に延在する縁部１０７ｂ、内側の横方向に延在する縁部１０９ｂ、及びシャーシ１０２の第２の長手方向、つまり左側縁部１３０の部分によって画定されてよい。外側の横方向に延在する縁部１０７ａ、１０９ａは、おむつパンツ１００の前側腰部縁部１２１及び横方向に延在する後側腰部縁部１２２も画定してよい。第１の弾性ベルト及び第２の弾性ベルトは、外側の衣類に面する層１６２、及び内側の着用者に面する層１６４もそれぞれ含み得る。また、図２Ｂに示すように、外側の横方向に延在する縁部１０７ａと内側の横方向に延在する縁部１０７ｂとの間の距離は、第１のベルト１０６の幅Ｗ１を画定してよい。また、外側の横方向に延在する縁部１０９ａと内側の横方向に延在する縁部１０９ｂとの間の距離は、第２のベルト１０８の幅Ｗ２を画定してよく、Ｗ２はＷ１よりも大きくてよい。いくつかの構成において、Ｗ１はＷ２に等しいか又はそれより大きくてもよいことを理解されたい。いくつかの実施形態では、幅Ｗ１及び／又はＷ２は、約１２０ｍｍ〜約３００ｍｍであってよい。
【００３９】
第１の弾性ベルト１０６及び第２の弾性ベルト１０８は、同じ材料を含んでもよく、かつ／又は同じ構造を有してもよいことが理解されよう。いくつかの実施形態では、第１の弾性ベルト１０６及び第２の弾性ベルトは、異なる材料を含んでもよく、かつ／又は異なる構造を有してもよい。第１の弾性ベルト１０６及び第２の弾性ベルト１０８は、様々な材料から構成されてもよいことが理解されるべきである。例えば、第１及び第２のベルトは、プラスチックフィルム；孔あきプラスチックフィルム；天然材料（例えば、木部若しくは木綿繊維）、合成繊維（例えば、ポリオレフィン、ポリアミド、ポリエステル、ポリエチレン、若しくはポリプロピレン繊維）、又は、天然及び／若しくは合成繊維の組み合わせの、織布又は不織布ウェブ；又はコーティングした織布又は不織布ウェブなどの材料から製造されてよい。いくつかの実施形態では、第１及び第２の弾性ベルトは、合成繊維の不織布のウェブを含み、かつ伸縮性不織布を含んでもよい。他の実施形態において、第１及び第２の弾性ベルトは、内側の疎水性で非伸縮性の不織布材料、及び外側の疎水性で非伸縮性の不織布材料を含む。
【００４０】
第１及び第２の弾性ベルト１０６、１０８はまた、それぞれ、外側基材層１６２と内側基材層１６４との間に間置されたベルト弾性材料を含み得る。ベルト弾性材料は、ストランド、リボン、フィルム、又はパネルなど、弾性ベルトの長さに沿って延在する１つ以上の弾性要素を含み得る。図２Ａ、３Ａ、及び３Ｂに示すように、ベルト弾性材料は複数の弾性ストランド１６８を含んでもよく、この弾性ストランド１６８は、本明細書では、外側腰部弾性体１７０及び内側腰部弾性体１７２と称される場合がある。外側腰部弾性体１７０などの弾性ストランド１６８は、第１の弾性ベルト１０６の両側の第１の末端領域１０６ａと第２の末端領域１０６ｂとの間、及び第２の弾性ベルト１０８の両側の第１の末端領域１０８ａと第２の末端領域１０８ｂとの間に、横方向に連続して延在している。いくつかの実施形態では、内側腰部弾性体１７２などの一部の弾性ストランド１６８は、例えば、第１及び第２の弾性ベルト１０６、１０８が吸収性アセンブリ１４０に重なるような区域内では、不連続部を有して構成されてもよい。いくつかの実施形態では、弾性ストランド１６８は、一定間隔で長手方向に配置され得る。他の実施形態において、弾性ストランド１６８は、長手方向に異なる間隔で配置されてもよい。伸張状態のベルト弾性材料は、非収縮外側層と非収縮内側層との間に間置され、結合されてもよい。ベルト弾性材料が弛緩されると、ベルト弾性材料は、非伸張状態に戻り、外層及び内層を収縮させる。ベルト弾性材料は、環状弾性ベルトの領域で望ましい収縮力の変化をもたらすことができる。シャーシ１０２及び弾性ベルト１０６、１０８は、図２Ａに示したものとは異なるように構成され得ることを理解されたい。ベルト弾性材料は、ベルト弾性材料と内側及び／又は外側ベルト層との間の境界面に沿って、連続的又は断続的に外側及び／又は内側層に結合されていてよい。
【００４１】
いくつかの構成において、第１の弾性ベルト１０６及び／又は第２の弾性ベルト１０８は、湾曲したコンターを画定し得る。例えば、第１及び／又は第２の弾性ベルト１０６、１０８の内側横方向縁部１０７ｂ、１０９ｂは、第１及び第２の対向する末端領域内に、非直線状、つまり湾曲した部分を含み得る。そのような湾曲したコンターは、例えば、比較的丸みを帯びた脚部開口部などの脚部開口部１１２に所望の形状を画定する助けになり得る。弾性ベルト１０６、１０８は、湾曲したコンターを有するだけでなく、内側横方向縁部１０７ｂ、１０９ｂの湾曲したコンターと一致し得る非線形又は湾曲した経路に沿って延在する弾性ストランド１６８、１７２を含む場合もある。
【００４２】
上述のように、おむつパンツ１００は、１つ又は２つ以上の図柄を含んでよい。また、このような図柄は、比較的高い印刷濃度の区域（本明細書では「高彩度区域」と称される）と、比較的低い印刷濃度の区域（本明細書では「低彩度区域」と称される）と、を含んでよい。上述のように、おむつ構成要素上の図柄は、図柄が位置する領域で実行される不正確な、及び／又は調和に欠けた組み立て操作の目立つ、目に見える結果を低減するような方法で印刷されてよい、及び／又は配置されてよい。したがって、高彩度区域は、消費者にとって目立ち得るおむつの領域に配置されてよい。また、低彩度区域は、内側ベルト縁部、及び／又は再度シーム領域など、組み立てプロセス中に組み合わせ転換を受ける領域に配置されてよい。本明細書に記載される図柄に関して、各区域は最大印刷濃度を含み、低彩度区域の最大印刷濃度は０超、かつ、高彩度区域の最大印刷濃度未満である。例えば、いくつかの実施形態では、高彩度区域の最大印刷濃度は、少なくとも約０．３、０．４、０．５、０．８、１．０、又は１．２であってよい。また、いくつかの実施形態では、低彩度区域の最大印刷濃度は、０超、かつ約０．３、０．２、０．１５、又は０．１以下であってよい。いくつかの実施形態では、低彩度区域の最大印刷濃度は、高彩度区域の最大印刷濃度の約３０％以下であってよい。いくつかの実施形態では、低彩度区域の最大印刷濃度は、高彩度区域の最大印刷濃度の約２５％以下であってよい。いくつかの実施形態では、低彩度区域の最大印刷濃度は、高彩度区域の最大印刷濃度の約１０％以下であってよい。加えて、図柄は、高彩度区域から低彩度区域へと徐々に見えなくなるように印刷されてよい。本明細書で使用するとき、用語「徐々に見えなくなる」は、色調、輝度、明度、クロマ、及び／又は彩度における目に見える段階的変化を意味し、例えば、図柄が、比較的高い印刷濃度を有する領域から比較的低い印刷濃度を有する領域へと徐々に見えなくなる場合である。
【００４３】
本明細書に記載される図柄は、様々な方法で印刷されてよく、インクジェット、フレキソ、及び／又はグラビア印刷プロセスなど様々な種類の印刷付属品によって印刷され得ることが理解されよう。インクジェット印刷は、インクの液滴を小開口部から媒体の指定位置に直接噴出して図柄を形成するノンインパクトドットマトリックス印刷技術である。インクジェット技術の２つの例として、熱気泡、つまりインクジェット及び圧電式が挙げられる。熱気泡では熱を用いてインクを塗布し、圧電式では結晶及び電荷を用いてインクを塗布する。いくつかの構成において、印刷ステーションは、プリンタの上流に配置され得るコロナ処理機を含み得る。コロナ処理機は、印刷される基材表面の表面エネルギーを増加するように構成され得る。いくつかの構成において、印刷ステーションは、インク硬化装置も含み得る。いくつかの構成では、インク硬化装置は、１つ又は２つ以上の紫外線（ＵＶ）ランプを含み得る紫外線（ＵＶ）光源の形態であってよく、プリンタの下流に配置して、プリンタから基材上に付着したインクの硬化を促進し、図柄が形成され得る。いくつかの構成では、インク硬化装置はまた、１つ又は２つ以上の赤外線（ＩＲ）ランプを含み得る赤外線（ＩＲ）乾燥機光源も含んでよく、プリンタの下流に配置して、プリンタから基材上に付着した水性又は溶剤系インクの乾燥を促進し、図柄が形成され得る。いくつかの構成では、インク硬化装置は、１つ又は２つ以上のＥビーム電極を含み得る電子ビーム（ＥＢ又はＥビーム）発生器を含んでよく、プリンタの下流に配置して、プリンタから基材上に付着したインクの硬化を促進し、図柄が形成され得る。
【００４４】
図２Ｂ、４Ａ、及び４Ｂは、第１の弾性ベルト１０６、第２の弾性ベルト１０８、及びシャーシ１０２上の図柄Ｇを含むおむつパンツ１００の一例を示す。具体的には、図２Ｂは、第１の弾性ベルト１０６上の第１の図柄Ｇ１、第２の弾性ベルト１０８上の第２の図柄Ｇ２、及びシャーシ１０２上のシャーシ図柄Ｇｃを示す。以下では、第１の図柄Ｇ１、第２の図柄Ｇ２、及びシャーシ図柄Ｇｃの文脈で説明するが、おむつパンツ１００は様々な他の図柄Ｇを含んでよいことが理解されよう。例えば、図２Ｂに示すように、おむつパンツ１００は、長手方向軸１２４に対して第１の図柄Ｇ１、第２の図柄Ｇ２、及びシャーシ図柄Ｇｃに鏡像化される追加の図柄Ｇを含んでよい。
【００４５】
図２Ｂに示すように、第１の図柄Ｇ１は全面ストライプ形状を画定し、第１のベルト１０６の第１の長手方向側縁部１１１ａから内側横方向端縁部１０７ｂまで延在する。第１の図柄Ｇ１はまた、高彩度区域ＺＨ１により互いに分離される第１の低彩度区域ＺＬ１ａと、第２の低彩度区域ＺＬ１ｂと、を含む。図２Ｂに示すように、第１の低彩度区域ＺＬ１ａは、高彩度区域ＺＨ１から第１の長手方向側縁部１１１ａまで延在し、第２の低彩度区域ＺＬ１ｂは、高彩度区域ＺＨ１から、第１のベルト１０６の横方向に延在する内側縁部１０７ｂまで延在する。図２Ｂを続けて参照すると、第２の図柄Ｇ２は全面ストライプ形状を画定し、第２のベルト１０８の第１の長手方向側縁部１１３ａから内側横方向端縁部１０９ｂまで延在する。第２の図柄Ｇ２はまた、高彩度区域ＺＨ２により互いに分離される第１の低彩度区域ＺＬ２ａと、第２の低彩度区域ＺＬ２ｂと、を含む。図２Ｂに示すように、第１の低彩度区域ＺＬ２ａは高彩度区域ＺＨ２から第１の長手方向側縁部１１３ａまで延在し、第２の低彩度区域ＺＬ２ｂは、高彩度区域ＺＨ２から第２のベルト１０８の横方向に延在する内側縁部１０９ｂまで延在する。したがって、高彩度区域ＺＨ１、ＺＨ２は、第１及び第２のベルト１０６、１０８の内側縁部１０７ｂ、１０９ｂ及び第１の長手方向側縁部１１１ａ、１１３ａから離れて配置される。
【００４６】
分かりやすくするために、破線４０１を図２Ｂに示して、高彩度区域ＺＨ１と低彩度区域ＺＬ１ａ、ＺＬ１ｂと間の境界の一例、及び高彩度区域ＺＨ２と低彩度区域ＺＬ２ａ、ＺＬ２ｂとの間の境界の一例を示す。高彩度区域と低彩度区域との間のこのような境界は、曲線、斜線、及び／又は直線であり得ることが理解されよう。図２Ｂに示すように、前側ベルト１０６上の図柄Ｇ１の第１の低彩度区域ＺＬ１ａは、高彩度区域ＺＨ１から第１の長手方向側縁部１１１ａの全体に延在してよく、前側ベルト１０６上の図柄Ｇ１の第２の低彩度区域ＺＬ１ｂは、高彩度区域ＺＨ１から内側縁部１０７ｂの全体に延在してよい。加えて、後側ベルト１０８上の図柄Ｇ２の第１の低彩度区域ＺＬ２ａは、高彩度区域ＺＨ２から第１の長手方向側縁部１１３ａの全体に延在してよく、第２の低彩度区域ＺＬ２ｂは、高彩度区域ＺＨ２から内側縁部１０９ｂの全体に延在してよい。いくつかの実施形態では、低彩度区域の１つ又は全ては連続していても、していなくてもよく、長手方向側縁部１１１ａ、１１３ａ及び／又は内側縁部１０７ｂ、１０９ｂまでずっと延在していても、していなくてもよい。
【００４７】
図２Ｂに示すように、第１の図柄Ｇ１の第１の低彩度区域ＺＬ１ａは、第１のベルト１０６に沿って横方向に長さＬｚ１を画定してよく、第２の図柄Ｇ２の第１の低彩度区域ＺＬ２ａは、第２のベルト１０８に沿って横方向に長さＬｚ２を画定してよい。第１の低彩度区域ＺＬ１ａ及びＺＬ２ａの長さＬｚ１、Ｌｚ２は可変であり得ることが理解されよう。いくつかの実施形態では、長さＬｚ１及び／又はＬｚ２は、約５ｍｍ〜約３０ｍｍであってよい。いくつかの実施形態では、長さＬｚ１、Ｌｚ２は、第１及び／又は第２のベルト１０６、１０８のピッチ長さＰＬとの比較の観点で表現されてよい。例えば、いくつかの実施形態では、第１及び／又は第２のベルト１０６、１０８のピッチ長さＰＬは、長さＬｚ１及び／又はＬｚ２の約１０〜約５０倍であってよい。また、図４Ａ及び４Ｂに示すように、第１の図柄Ｇ１の第１の低彩度区域ＺＬ１ａは、第１のベルト１０６の第１の長手方向側縁部１１１ａに沿って幅Ｗｇ１を画定してよく、第２の図柄Ｇ２の第１の低彩度区域ＺＬ２ａは、第２のベルト１０８の第１の長手方向側縁部１１３ａに沿って幅Ｗｇ２を画定してよい。第１の低彩度区域ＺＬ１ａ及びＺＬ２ａの幅Ｗｇ１、Ｗｇ２は可変であり得ることが理解されよう。例えば、図４Ａ及び４Ｂに示すように、第１の低彩度区域ＺＬ１の幅Ｗｇ１は、第１のベルト１０６の幅Ｗ１よりも小さくてよく、第１の低彩度区域ＺＬ２ａの幅Ｗｇ２は、第２のベルト１０８の幅Ｗ２よりも小さくてよい。いくつかの実施形態では、幅Ｗｇ１及び／又はＷｇ２は、それぞれ第１及び／又は第２のベルト１０６、１０８の幅Ｗ１及び／又はＷ２と等しくてよい。加えて、第１の低彩度区域ＺＬ１ａ及びＺＬ２ａの幅Ｗｇ１、Ｗｇ２はまた、互いに等しくてよい。
【００４８】
図２Ｂを続けて参照すると、第１の図柄Ｇ１の第２の低彩度区域ＺＬ１ｂはまた、第１のベルト１０６に沿って幅Ｗｚ１を画定してよく、第２の図柄Ｇ２の第２の低彩度区域ＺＬ２ｂは、第２のベルト１０８に沿って幅Ｗｚ２を画定してよい。低彩度区域ＺＬ１ｂ、ＺＬ２ｂの幅Ｗｚ１、Ｗｚ２は可変であり得ることが理解されよう。いくつかの実施形態では、幅Ｗｚ１、Ｗｚ２は、約５ｍｍ〜約１５ｍｍであってよい。いくつかの実施形態では、幅Ｗｚ１、Ｗｚ２は、第１及び／又は第２のベルト１０６、１０８の幅Ｗ１、Ｗ２との比較の観点で表現されてよい。例えば、いくつかの実施形態では、第１及び／又は第２のベルト１０６、１０８の幅Ｗ１、Ｗ２は、それぞれ図柄Ｇ１及び／又はＧ２の幅Ｗｚ１、Ｗｚ２の約１０〜約６０倍であってよい。いくつかの実施形態では、図柄Ｇ１及び／又はＧ２の幅Ｗｚ１、Ｗｚ２は、それぞれ第１及び／又は第２のベルト１０６、１０８の幅Ｗ１、Ｗ２の約１０％以下であってよい。また、図４Ａ及び４Ｂに示すように、第１の図柄Ｇ１の第２の低彩度区域ＺＬ１ｂは、第１のベルト１０６の内側横方向端縁部１０７ｂに沿って長さＬｇ１を画定してよく、第２の図柄Ｇ２の第２の低彩度区域ＺＬ２ｂは、第２のベルト１０８の内側横方向縁部１０９ｂに沿って長さＬｇ２を画定してよい。第２の低彩度区域ＺＬ１ｂ及びＺＬ２ｂの長さＬｇ１、Ｌｇ２は可変であり得ることが理解されよう。例えば、図４Ａ及び４Ｂに示すように、第２の低彩度区域ＺＬ１ｂの長さＬｇ１は、第１のベルト１０６のピッチ長さＰＬよりも小さくてよく、第２の低彩度区域ＺＬ２ｂの長さＬｇ２は、第２のベルト１０８のピッチ長さＰＬよりも小さくてよい。いくつかの実施形態では、長さＬｇ１及び／又はＬｇ２は、それぞれ第１及び／又は第２のベルト１０６、１０８のピッチ長さＰＬと等しくてよい。加えて、第２の低彩度区域ＺＬ１ｂ及びＺＬ２ｂの長さＬｇ１、Ｌｇ２はまた、互いに等しくてよい。
【００４９】
ここで図２Ｂを参照すると、シャーシ図柄Ｇｃは、全面ストライプ形状を画定し、第１のベルト１０６の内側横方向縁部１０７ｂから第２のベルト１０８の内側横方向縁部１０９ｂまでシャーシ１０２に沿って長手方向に延在する。シャーシ図柄Ｇｃは、バックシート１３６などの様々なシャーシ構成要素上に印刷されてよく、シャーシ構成要素の組み立てに先立って、又はその最中に印刷されてよいことが理解されよう。いくつかの構成では、シャーシ図柄Ｇｃは、シャーシ図柄Ｇｃが不織布層を通して見えるように、その後不織布層によって覆われるバックシートフィルム層上に印刷されてよい。シャーシ図柄Ｇｃはまた、高彩度区域ＺＨｃにより互いに分離される第１の低彩度区域ＺＬｃ１と、第２の低彩度区域ＺＬｃ２と、を含む。
【００５０】
シャーシ図柄Ｇｃはまた、様々な異なるデザイン及び寸法で構成され得ることが理解されよう。例えば、第１の低彩度区域ＺＬｃ１は、シャーシ１０２の第１の横方向端縁部１４４に向かって高彩度区域ＺＨｃから長手方向に延在してよい。また、第２の低彩度区域ＺＬｃ２は、シャーシ１０２の第２の横方向端縁部１４６に向かって高彩度区域ＺＨｃから長手方向に延在してよい。いくつかの実施形態では、低彩度区域ＺＬｃ１、ＺＬｃ２のいずれか、又はその両方は、シャーシ１０２の端縁部１４４、１４６までずっと連続的に延在してよい。また、いくつかの実施形態では、低彩度区域ＺＬｃ１、及び／若しくはＺＬｃ２のいずれか、又はその両方は、端縁部１４４、１４６まで完全に延在しなくてよい。図２Ｂに示すように、シャーシ１０２が第１及び第２のベルト１０６、１０８と組み合わされると、第１の低彩度区域ＺＬｃ１は、高彩度区域ＺＨｃから第１のベルト１０６の内側の横方向に延在する縁部１０７ｂまで延在し、第２の低彩度区域ＺＬｃ２は、高彩度区域ＺＨｃから第２のベルト１０８の横方向に延在する内側縁部１０９ｂまで延在する。したがって、高彩度区域ＺＨｃは、第１及び第２のベルト１０６、１０８の内側縁部１０７ｂ、１０９ｂから離れて配置される。
【００５１】
図２Ｂを続けて参照すると、分かりやすくするために破線４０１を示して、シャーシ図柄Ｇｃにおける高彩度区域ＺＨｃと低彩度区域ＺＬｃ１、ＺＬｃ２との間の境界の一例を示す。高彩度区域ＺＨｃと低彩度区域ＺＬｃ１、ＺＬｃ２との間のこのような境界は、曲線、斜線、及び／又は直線であり得ることが理解されよう。図２Ｂに示すように、シャーシ図柄Ｇｃの第１の低彩度区域ＺＬｃ１は、第１のベルト１０６の内側横方向縁部１０７ｂから長手方向に延在する長さＬｃｚ１を画定する。また、第２の低彩度区域ＺＬｃ２は、第２のベルト１０８の内側横方向縁部１０９ｂから長手方向に延在する長さＬｃｚ２を画定してよい。低彩度区域ＺＬｃ１、ＺＬｃ２の長さＬｃｚ１、Ｌｃｚ２は可変であり得ることが理解されよう。いくつかの実施形態では、長さＬｚ１、Ｌｚ２は、約５ｍｍ〜約３０ｍｍであってよい。図４Ａ及び４Ｂに示すように、シャーシ１０２は、第１の長手方向縁部１２８と第２の長手方向縁部１３０との間を延在する幅ＣＷを画定してよい。シャーシ幅ＣＷは、シャーシ１０２の長さに沿って長手方向で可変であっても、なくてもよいことが理解されよう。したがって、シャーシ幅ＣＷは、第１及び第２のベルト１０６、１０８の内側横方向縁部１０７ｂ、１０９ｂに沿って同一でも、異なってもよい。図４Ａに示すように、シャーシ図柄Ｇｃの第１の低彩度区域ＺＬｃ１は、第１のベルト１０６の内側横方向端縁部１０７ｂに沿って幅ＷＧｃ１を画定してよい。また、図４Ｂに示すように、シャーシ図柄Ｇｃの第２の低彩度区域ＺＬｃ２は、第２のベルト１０８の内側横方向縁部１０９ｂに沿って幅Ｗｇｃ２を画定してよい。第２の低彩度区域ＺＬｃ１及びＺＬｃ２の幅ＷＧｃ１、ＷＧｃ２は可変であり得ることが理解されよう。例えば、図４Ａ及び４Ｂに示すように、第１の低彩度区域ＺＬｃ１の幅ＷＧｃ１は、第１のベルト１０６の内側横方向縁部１０７ｂにおけるシャーシ幅ＣＷよりも小さくてよい。また、第２の低彩度区域ＺＬｃ２の幅ＷＧｃ２は、第２のベルト１０８の内側横方向縁部１０９ｂにおけるシャーシ幅ＣＷよりも小さくてよい。いくつかの実施形態では、幅ＷＧｃ１及び／又はＷＧｃ２は、それぞれ第１及び／又は第２のベルト１０６、１０８の内側横方向縁部１０７ｂ、１０９ｂにおけるシャーシ幅ＣＷと等しくてよい。加えて、第２の低彩度区域ＺＬｃ１及びＺＬｃ２の幅ＷＧｃ１、ＷＧｃ２はまた、互いに等しくてよい。
【００５２】
上述のように、図柄Ｇの低彩度区域は、このような転換の不正確性及び／又は不調和性の目立つ、目に見える結果を低減するように、組み立てプロセス中に様々な組み合わせ転換を受け得るおむつ１００の領域に配置される。したがって、本明細書に記載される低彩度区域は、追加の図柄を欠いたままであってよいことが理解される。したがって、いくつかの実施形態では、高彩度区域及び低彩度区域を有する図柄を含む吸収性物品を製造することが望ましい場合があり、低彩度区域は他の印刷された図柄又は同類のものを欠いている。
【００５３】
上述のように、おむつ１００の構成要素は、図柄Ｇが互いに揃えられて、組み立てられた構成要素にわたって延在する連続デザインの外観を形成するように組み立てられてよい。例えば、図５は、図２Ｂ、４Ａ、及び４Ｂの組み立てられたおむつパンツ１００の第１のサイドシーム１７８の平面図を示す。図５に示すように、第１のベルト１０６の第１の末端領域１０６ａは、第１の図柄Ｇ１の第１の低彩度区域ＺＬ１ａが第２の図柄Ｇ２の第１の低彩度区域ＺＬ２ａと揃えられて、サイドシーム１７８にわたって延在する連続デザインを形成するように、第２のベルト１０８の第１の末端領域１０８ａと接続される。第１及び第２のベルト１０６、１０８が互いに接続される第１のサイドシーム１７８に沿って低彩度区域ＺＬ１ａ、ＺＬ２ａを配置することは、第１及び第２のベルト１０６、１０８の不正確な配置及び／又は接続の目立つ結果を低減することに役立つ場合があり、第１及び第２の図柄Ｇ１、Ｇ２は、そうでなければ接合されていないように見える、及び／又は揃って見えないことがある。
【００５４】
図２Ｂ、４Ａ、及び４Ｂに示すように、シャーシ１０２はまた、シャーシ図柄Ｇｃが第１及び第２のベルト１０６、１０８上の第１及び／又は第２の図柄Ｇ１、Ｇ２と揃えられて、第１及び／又は第２のベルト１０６、１０８の内側横方向縁部１０７ｂ、１０９ｂにわたって延在する連続デザインを形成するように、前側ベルト１０６及び後側ベルト１０８と組み合わされてよい。具体的には、シャーシ図柄Ｇｃの第１の低彩度区域ＺＬｃ１は、第１の図柄Ｇ１の第２の低彩度区域ＺＬ１ｂと揃えられてよく、シャーシ図柄Ｇｃの第２の低彩度区域ＺＬｃ２は、第２の図柄Ｇ２の第２の低彩度区域ＺＬ２ｂと揃えられてよい。シャーシ図柄Ｇｃの第１の低彩度区域ＺＬｃ１を第１のベルト１０６の内側横方向縁部１０７ｂに沿って揃えて配置する（シャーシ１０２及び第１のベルト１０６は互いに接続されている）ことは、シャーシ１０２の不正確な配置及び／又は第１のベルト１０６との接続の目立つ結果を低減するのに役立つ場合があり、シャーシ図柄Ｇｃ及び第１の図柄Ｇ１は、そうでなければ接合されていないように見える、及び／又は揃って見えないことがある。同様に、シャーシ図柄Ｇｃの第２の低彩度区域ＺＬｃ２を第２のベルト１０８の内側横方向縁部１０９ｂに沿って揃えて配置する（シャーシ１０２及び第２のベルト１０８は互いに接続されている）ことは、シャーシ１０２の不正確な配置及び／又は第２のベルト１０８との接続の目立つ結果を低減するのに役立つ場合があり、シャーシ図柄Ｇｃ及び第２の図柄Ｇ２は、そうでなければ接合されていないように見える、及び／又は揃って見えないことがある。また、第１のベルト１０６の内側横方向縁部１０７ｂにおけるシャーシ図柄Ｇｃの第１の低彩度区域ＺＬｃ１の幅ＷＧｃ１は、第１の図柄Ｇ１の第２の低彩度区域ＺＬ１ｂの長さＬｇ１と等しい、これより小さい、又はこれより大きくてよいことが理解されよう。また、第２のベルト１０８の内側横方向縁部１０９ｂにおけるシャーシ図柄Ｇｃの第２の低彩度区域ＺＬｃ２の幅ＷＧｃ２は、第２の図柄Ｇ２の第２の低彩度区域ＺＬ１ｂの長さＬｇ２と等しい、これより小さい、又はこれより大きくてよいことが理解されよう。
【００５５】
上述のように、おむつパンツ１００の様々な種類は、上述の図柄Ｇ１、Ｇ２を備えて組み立てられてよい。おむつパンツ１００のいくつかの実施形態は、図１Ａ〜２Ｂに記載される以外の方法で構成される、シャーシ１０２及び弾性ベルト１０６、１０８を備えてもよい。例えば、図６及び７は、弾性ベルト１０６、１０８の外側層１６２が、第１の腰部領域１１６、股部領域１１９、及び第２の腰部領域１１８を通って延在する接触外側カバー１６１として構成される以外は、図１Ａ〜２Ｂを参照して上述されるものと同じ構成要素の多くを有する、おむつパンツ１００を示す。したがって、図７に示すように、外側カバー１６１はまた、第１の腰部末端領域１１６、股部領域１１９、及び対向する第２の腰部末端領域１１８も備える。外側カバー１６１はまた、衣類に面する表面１６２ｂ及び対向する着用者に面する表面１６２ａも備える。このように、弾性ベルト１０６、１０８の弾性部材１６８は、外側カバー１６１の着用者に面する表面１６２ａと接続され得る。また、シャーシ１０２は、外側カバー１６１の着用者に面する表面１６２ａに位置付けることができる。このように、バックシート１３６は、外側カバー１６１の部分を備え得る。加えて、図７に示すように、外側カバー１６１は、それぞれシャーシ１０２の第１の長手方向側縁部１２８とシャーシ１０２の第２の長手方向側縁部１３０から横方向外側に位置付けられる、第１の長手方向側縁部１２８ａと、第２の長手方向側縁部１３０ａと、を備え得る。図６及び７に示すように、第１の長手方向側縁部１２８ａは、一方の脚部開口部１１２の周囲１１２ａを画定してよく、第２の長手方向側縁部１３０ａは、他方の脚部開口部１１２の周囲１１２ｂを画定してよい。また、第１の長手方向側縁部１２８ａ及び第２の長手方向側縁部１３０ａは、それぞれシャーシ１０２の第１の長手方向側縁部１２８とシャーシ１０２の第２の長手方向側縁部１３０から横方向内側と揃えられる、又はそこに位置付けられ得ることも理解されよう。このように、いくつかの実施形態では、一方の脚部開口部１１２の周囲１１２ａは、第１の長手方向縁部１２８、１２８ａの部分によって画定され、他方の脚部開口部の周囲１１２ｂは、第２の長手方向縁部１３０、１３０ａの部分によって画定され得る。
【００５６】
図８Ａは、おむつパンツ１００の様々な領域を図示している、平たく広がった状態のおむつパンツ１００の前側平面図を示す。また、８Ｂは、おむつパンツ１００の様々な領域を図示している、平たく広がった状態のおむつパンツ１００の後側平面図を示す。上述のように、おむつパンツ１００は、内側の、身体に面する表面１３２、及び外側の、衣類に面する表面１３４を含んで画定する。またおむつパンツ１００は、股部領域１１９中の横方向折り目１９２によって画定される、股端部１９０も含む。このように、横方向折り目１９２は、股部領域を、第１の股部領域１１９ａ及び第２の股部領域１１９ｂに分ける。
【００５７】
図６〜８Ｂでは、おむつパンツ１００は、第１の弾性ベルト１０６及び第２の弾性ベルト１０８を有するものとして示される。第１のベルト１０６は、第１の末端領域１０６ａ、対向する第２の末端領域１０６ｂ、及び中央領域１０６ｃを有する。また、第２のベルト１０８は、第１の末端領域１０８ａ、対向する第２の末端領域１０８ｂ、及び中央領域１０８ｃを有する。第１の末端領域１０６ａ、１０８ａは、第１のサイドシーム１７８において互いに接続され、第２の末端領域１０６ｂ、１０８ｂは、第２のサイドシーム１８０において互いに接続される。図８Ａ及び８Ｂに示すように、第１の長手方向側縁部１１１ａと第２の長手方向側縁部１１１ｂとの間の距離は、第１の弾性ベルト１０６のピッチ長さＰＬを画定し、第１の長手方向側縁部１１３ａと第２の長手方向側縁部１１３ｂとの間の距離は、第２の弾性ベルト１０８のピッチ長さＰＬを画定する。
【００５８】
第１のベルト１０６の第１の末端領域１０６ａは、組み立てられ、平たく広がった弛緩状態のおむつパンツ１００のピッチ長さＰＬの約２０％〜４０％を延在し、第２のベルト１０８の第１の末端領域１０８ａは、組み立てられ、平たく広がった弛緩状態おむつパンツ１００のピッチ長さＰＬの約２０％〜４０％を延在し得る。第１のベルト１０６の第２の末端領域１０６ｂは、組み立てられ、平たく広がった弛緩状態のおむつパンツ１００のピッチ長さＰＬの約２０％〜４０％を延在し、第２のベルト１０８の第２の末端領域１０８ｂは、組み立てられ、平たく広がった弛緩状態おむつパンツ１００のピッチ長さＰＬの約２０％〜４０％を延在し得る。第１のベルト１０６の中央領域１０６ｃは、組み立てられ、平たく広がった弛緩状態のおむつパンツ１００のピッチ長さＰＬの約２０％〜６０％を延在し、第２のベルト１０８の中央領域１０８ｃは、組み立てられ、平たく広がった弛緩状態おむつパンツ１００のピッチ長さＰＬの約２０％〜６０％を延在し得る。
【００５９】
図８Ａ及び８Ｂでは、おむつパンツ１００は、第１の腰部縁部１２１と股端部１９０（若しくは横方向折り目１９２）との間の距離、又はより長い場合、第２の腰部縁部１２２から股端部１９０（若しくは横方向折り目１９２）までの距離によって画定される、長手方向長さＬＬを有するものとしても示される。長手方向長さＬＬは、おむつパンツ１００の長手方向中心線１２４に沿って測定できる。図６Ｂ〜６Ｃに示すように、第１の腰部領域１１６は、腰部縁部１２１からサイドシーム１７８、１８０に沿って、脚部開口部１１２の周囲縁部１１２ａ、１１２ｂまで、概ね長手方向の距離Ｄ１を延在し、第２の腰部領域１１８は、腰部縁部１２２から、サイドシーム１７８、１８０に沿って、脚部開口部１１２の周囲縁部１１２ａ、１１２ｂまで、概ね長手方向の距離Ｄ２を延在する。したがって、第１の股部領域１１９ａは、股端部１９０から第１の腰部領域１１６までの距離を延在し、第２の股部領域１１９ｂは、股端部１９０から第２の腰部領域１１８までの距離を延在する。いくつかの実施形態では、第１の腰部領域１１６及び／又は第２の腰部領域１１８は、組み立てられたおむつパンツ１００の長手方向長さＬＬの約２／３を延在し得る。加えて、第１の股部領域１１９ａ及び／又は第２の股部領域１１９ｂは、組み立てられたおむつパンツ１００の長手方向長さＬＬの約１／３を延在し得る。
【００６０】
図８Ａ及び８Ｂに示すおむつパンツ１００はまた、外側カバー１６１上で、又はこれを通して見える図柄Ｇを含む。具体的には、第１の図柄Ｇ１は第１の弾性ベルト１０６上に配置され、第２の図柄Ｇ２は第２の弾性ベルト１０８上に配置される。図８Ａに示すように、第１の図柄Ｇ１は全面ストライプ形状を画定し、第１の長手方向側縁部１１１ａから第１のベルト１０６の第２の長手方向側縁部１１１ｂまで延在する。第１の図柄Ｇ１はまた、高彩度区域ＺＨ１により互いに分離される第１の低彩度区域ＺＬ１ａと、第２の低彩度区域ＺＬ１ｂと、を含む。図８Ａに示すように、第１の低彩度区域ＺＬ１ａは、高彩度区域ＺＨ１から第１の長手方向側縁部１１１ａまで延在し、第２の低彩度区域ＺＬ２ｂは、高彩度区域ＺＨ１から、第１のベルト１０６の第２の長手方向側縁部１１１ｂまで延在する。第１の図柄Ｇ１はまた、高彩度区域ＺＨ１から第１の腰部縁部１２１まで延在する第３の低彩度区域ＺＬ１ｃを更に含んでよい。図８Ｂに示すように、第２の図柄Ｇ２は全面ストライプ形状を画定し、第１の長手方向側縁部１１３ａから第２のベルト１０８の第２の長手方向側縁部１１３ｂまで延在する。第２の図柄Ｇ２はまた、高彩度区域ＺＨ２により互いに分離される第１の低彩度区域ＺＬ２ａと、第２の低彩度区域ＺＬ２ｂと、を含む。図８Ｂに示すように、第１の低彩度区域ＺＬ２ａは、高彩度区域ＺＨ２から第１の長手方向側縁部１１３ａまで延在し、第２の低彩度区域ＺＬ２ｂは、高彩度区域ＺＨ２から、第２のベルト１０８の第２の長手方向側縁部１１３ｂまで延在する。第２の図柄Ｇ２はまた、高彩度区域ＺＨ２から第２の腰部縁部１２２まで延在する第３の低彩度区域ＺＬ２ｃを更に含んでよい。したがって、高彩度区域ＺＨ１、ＺＨ２は、第１の長手方向側縁部１１１ａ、１１３ａ、第２の長手方向側縁部１１１ｂ、１１３ｂ、並びに第１及び第２のベルト１０６、１０８の腰部縁部１２１、１２２から離れて配置される。
【００６１】
分かりやすくするために、破線４０１を図８Ａ及び８Ｂに示して、高彩度区域ＺＨ１と低彩度区域ＺＬ１ａ、ＺＬ１ｂ、ＺＬ１ｃとの境界の一例、及び高彩度区域ＺＨ２と低彩度区域ＺＬ２ａ、ＺＬ２ｂ、ＺＬ２ｃとの境界の一例を示す。高彩度区域と低彩度区域との間のこのような境界は、曲線、斜線、及び／又は直線であり得ることが理解されよう。図８Ａに示すように、前側ベルト１０６上の図柄Ｇ１の第１の低彩度区域ＺＬ１ａは、高彩度区域ＺＨ１から第１の長手方向側縁部１１１ａの全体に延在してよく、前側ベルト１０６上の図柄Ｇ１の第２の低彩度区域ＺＬ１ｂは、高彩度区域ＺＨ１から第２の長手方向側縁部１１１ｂの全体に延在してよい。加えて、図８Ｂに示すように、後側ベルト１０８上の図柄Ｇ２の第１の低彩度区域ＺＬ２ａは、高彩度区域ＺＨ２から第１の長手方向側縁部１１３ａの全体に延在してよく、第２の低彩度区域ＺＬ２ｂは、高彩度区域ＺＨ２から第２の長手方向側縁部１１３ｂの全体に延在してよい。いくつかの実施形態では、低彩度区域の１つ又は全ては連続していても、していなくてもよく、長手方向側縁部１１１ａ、１１１ｂ、１１３ａ、１１３ｂ、及び／又は腰部縁部１２１、１２２までずっと延在していても、していなくてもよい。
【００６２】
図８Ａに示すように、第１の図柄Ｇ１の第１の低彩度区域ＺＬ１ａは、第１のベルト１０６に沿って横方向に長さＬｚ１ａを画定してよく、第１の図柄Ｇ１の第２の低彩度区域ＺＬ１ｂは、第１のベルト１０６に沿って横方向に長さＬｚ１ｂを画定してよい。図８Ｂに示すように、第２の図柄Ｇ１の第１の低彩度区域ＺＬ２ａは、第２のベルト１０８に沿って横方向に長さＬｚ２ａを画定してよく、第２の図柄Ｇ２の第２の低彩度区域ＺＬ２ｂは、第２のベルト１０８に沿って横方向に長さＬｚ２ｂを画定してよい。第１の低彩度区域の長さＬｚ１ａ、Ｌｚ１ｂ、Ｌｚ２ａ、Ｌｚ２ｂは可変であり得ることが理解されよう。いくつかの実施形態では、長さＬｚ１ａ、Ｌｚ１ｂ、Ｌｚ２ａ、Ｌｚ２ｂは、約５ｍｍ〜約３０ｍｍであり得る。いくつかの実施形態では、長さＬｚ１ａ、Ｌｚ１ｂ、Ｌｚ２ａ、Ｌｚ２ｂは、第１及び／又は第２のベルト１０６、１０８のピッチ長さＰＬとの比較の観点で表現されてよい。例えば、いくつかの実施形態では、第１及び／又は第２のベルト１０６、１０８のピッチ長さＰＬは、Ｌｚ１ａ、Ｌｚ１ｂ、Ｌｚ２ａ、及び／又はＬｚ２ｂの約２０〜約５０倍であり得る。
【００６３】
また、図８Ａ及び８Ｂに示すように、第１の図柄Ｇ１の第１及び第２の低彩度区域ＺＬ１ａ、ＺＬ１ｂは、第１のベルト１０６の長手方向側縁部１１１ａ、１１１ｂに沿って幅Ｗｇ１を画定してよく、第２の図柄Ｇ２の第１及び第２の低彩度区域ＺＬ２ａ、ＺＬ２ｂは、第２のベルト１０８の長手方向側縁部１１３ａ、１１３ｂに沿って幅Ｗｇ２を画定してよい。低彩度区域の幅Ｗｇ１、Ｗｇ２は可変であり得ることが理解されよう。例えば、図８Ａ及び８Ｂに示すように、第１の図柄Ｇ１の低彩度区域の幅Ｗｇ１は、第１の腰部縁部１２１から脚部開口部パラメータ１１２ａ、１１２ｂまでの距離Ｄ１よりも小さくてよい。また、第２の図柄Ｇ２の低彩度区域の幅Ｗｇ２は、第２の腰部縁部１２２から脚部開口部パラメータ１１２ａ、１１２ｂまでの距離Ｄ２よりも小さくてよい。いくつかの実施形態では、幅Ｗｇ１及び／又はＷｇ２は、それぞれ第１及び／又は第２のベルト１０６、１０８の距離Ｄ１及び／又はＤ２と等しくてよい。加えて、低彩度区域の幅Ｗｇ１、Ｗｇ２はまた、互いに等しくてよい。
【００６４】
上述のように、低彩度区域は、このような転換の不正確性及び／又は不調和性の目立つ、目に見える結果を低減するように、組み立てプロセス中に様々な切断、及び／又は折り畳み転換を受け得るおむつ１００の領域に配置される。したがって、本明細書に記載される低彩度区域ＺＬ１ａ、ＺＬ１ｂ、ＺＬ１ｃ、ＺＬ２ａ、ＺＬ２ｂ、ＺＬ２ｃは、追加の図柄を欠いたままであってよい。したがって、いくつかの実施形態では、高彩度区域及び低彩度区域を有する図柄を含む吸収性物品を製造することが望ましい場合があり、低彩度区域は他の印刷された図柄又は同類のものを欠いている。
【００６５】
上述のように、おむつ１００の構成要素は、図柄Ｇが互いに揃えられて、組み立てられた構成要素にわたって延在する連続デザインの外観を形成するように組み立てられてよい。例えば、図９は、図８Ａ及び８Ｂの組み立てられたおむつパンツ１００の第１のサイドシーム１７８の平面図を示す。図９に示すように、第１のベルト１０６の第１の末端領域１０６ａは、第１の図柄Ｇ１の第１の低彩度区域ＺＬ１ａが第２の図柄Ｇ２の第１の低彩度区域ＺＬ２ａと揃えられて、サイドシーム１７８にわたって延在する連続デザインを形成するように、第２のベルト１０８の第１の末端領域１０８ａと接続される。第１及び第２のベルト１０６、１０８が互いに接続される第１のサイドシーム１７８に沿って低彩度区域ＺＬ１ａ、ＺＬ２ａを配置することは、第１及び第２のベルト１０６、１０８の不正確な配置及び／又は接続の目立つ結果を低減することに役立つ場合があり、第１及び第２の図柄Ｇ１、Ｇ２は、そうでなければ接合されていないように見える、及び／又は揃って見えないことがある。図示していないが、第１のベルト１０６の第２の末端領域１０６ｂは、第１の図柄Ｇ１の第２の低彩度区域ＺＬ１ｂが第２の図柄Ｇ２の第２の低彩度区域ＺＬ２ｂと揃えられて、サイドシーム１８０にわたって延在する連続デザインを形成するように、第２のベルト１０８の第２の末端領域１０８ｂに接続されてよいことが理解されよう。
【００６６】
組み立てプロセス中に組み合わされる異なる構成要素上に図柄を印刷するとき、図柄の低彩度区域の印刷濃度の値を一致させる、又はほぼ一致させることが望ましい場合がある。図柄の低彩度区域の印刷濃度の値を一致させる、又はほぼ一致させることは、ある種の基材から別の種の基材まで延在する図柄の視覚的に目立つ転換を低減するのに役立ってよい。例えば、図１０は、フレキソ印刷された１７ｇｓｍのポリプロピレン／ポリエチレンポリエチレン不織布及びフレキソ印刷された１６ｇｓｍのポリプロピレン／ポリエチレンポリエチレンフィルムのスクリーン値（％）に応じた印刷濃度値のグラフを示す。用語「スクリーン値」（ティント値（tint value）とも称されることがある）は、印刷面上の意図される、つまり目的の色の彩度を判定するために使用される、入力デジタルドット率を指す。いくつかの実施形態では、印刷された不織布及び印刷されたフィルムの両方での印刷濃度値は、図１０のグラフの網掛け領域によって図示されるなど、約２０％以下であるスクリーン値の約０．２以下であってよい。いくつかの実施形態では、図１０に示すグラフは、図２Ｂに示すものなど吸収性物品構成要素の文脈に応じて記載されてよく、第１の図柄Ｇ１及び／又は第２の図柄Ｇ２は、不織布基材上に印刷されてよく、シャーシ図柄Ｇｃはフィルム基材上に印刷されてよい。したがって、シャーシ図柄Ｇｃの第１の低彩度区域ＺＬｃ１の印刷濃度値及び第１の図柄Ｇ１の第２の低彩度区域ＺＬ１ｂの印刷濃度値は、約２０％以下のスクリーン値において互いにほぼ等しくてよい、及び／又はいずれも約０．２以下であってよい。同様に、シャーシ図柄Ｇｃの第２の低彩度区域ＺＬｃ２の印刷濃度値及び第２の図柄Ｇ２の第２の低彩度区域ＺＬ２ｂの印刷濃度値は、約２０％以下のスクリーン値において互いにほぼ等しくてよい、及び／又はいずれも約０．２以下であってよい。
【００６７】
印刷色及び印刷濃度の測定方法
不織布又はフィルム上に印刷された印刷色及び濃度は、４．０ｍｍの光学的開口を有する、手持ち式の４５°／０°構成の半球状分光光度計Ｘ−ｒｉｔｅ  ｅＸａｃｔ  Ｓｐｅｃｔｒｏｐｈｏｔｏｍｅｔｅｒ（Ｘ−Ｒｉｔｅ，Ｇｒａｎｄ  Ｒａｐｉｄｓ  ＭＩから市販）又は同等の機器を使用して測定する。この機器は、反射率の逆数の対数として表される反射濃度に基づいて印刷濃度を測定する。目盛をＬ＊ａ＊ｂ＊単位、２°オブザーバ、Ｃ照明、Ａｂｓ白色ベース、物理フィルタなしに設定し、約２３℃±２℃及び相対湿度５０％±２％に保持された環境制御ラボでＤｅｎｓｉｔｙ  Ｓｔａｎｄａｒｄ  ｏｆ  ＡＮＳＩ  Ｔ．Ｍｅａｓｕｒｅｍｅｎｔｓを実行する。
【００６８】
分析実行前に、基準ホワイトボード（Ｓｕｎ  Ｃｈｅｍｉｃａｌ−Ｖｉｖｉｔｅｋ  Ｄｉｖｉｓｉｏｎ，Ｃｈａｒｌｏｔｔｅ，ＮＣからＰＧ２０００として入手可能）を使用してベンダーの指示に従って機器を毎日較正する。測定する基材をサンプル物品から取り外す。取り外しを容易にするために、必要に応じて低温凍結スプレー（例えば、Ｃｏｎｔｒｏｌ  Ｃｏｍｐａｎｙ，Ｈｏｕｓｔｏｎ  ＴＸから入手可能なＣｙｔｏ−ｆｒｅｅｚｅ）を使用できる。サンプルは、試験前に、約２３℃±２℃及び相対湿度５０％±２％で２時間にわたって状態調整する。
【００６９】
基準側を上向きにして、基準ホワイトボードを水平作業台上に配置する。印刷された面を上向きにして、基準ホワイトボードの上に試料を平らに配置する。測定位置に折り目やしわがなく、測定位置の１００％が機器の開口内にあるように、ｅＸａｃｔ分光光度計を試料上に配置する。濃度及びＬ＊ａ＊ｂ＊色の測定値を読み取り、四捨五入して０．０１単位で記録する。
【００７０】
同様に、５つの実質的に同様に印刷された基材上の対応する位置で測定を繰り返し、個別に濃度及びＬ＊ａ＊ｂ＊色の値を平均し、四捨五入して０．０１単位で記録する。
【００７１】
本明細書に記載される吸収性物品は、例えば、全て参照により本明細書に組み込まれる、２０１４年１２月１８日出願の米国特許出願第６２／０９３，４３８号、同第６２／０９３，４５２号、同第６２／０９３，５１６号、及び同第６２／０９３，６０４号に開示されている方法など様々な方法で製造されてよいことが理解されよう。本明細書に具体的に記載され、添付の図面で図示されるおむつパンツの組み立て方法は非限定的な実施形態であることが理解されよう。１つの非限定的な実施形態に関して図示又は説明される特徴は、他の非限定的な実施形態の特徴と組み合わせることができる。そのような修正及び変形は本開示の範囲に含まれることが意図されている。
【００７２】
パッケージ
本開示による図柄を含む吸収性物品はパッケージに入れられ得ることも理解されよう。パッケージは、高分子フィルム及び／又は他の材料を含んでよい。吸収性物品の特性に関する図柄又は表示部は、パッケージの外側部分に形成され、位置付けられ、及び／又は配置されてよい。それぞれのパッケージは、１つ又は２つ以上の吸収性物品を含んでよい。吸収性物品は、パッケージの寸法又は高さを縮小するように圧縮下でパッキングされて、なお、１パッケージ当たり妥当な量の吸収性物品を提供することができる。
【００７３】
したがって、吸収性物品のパッケージは、本明細書に記載されるバッグ内スタック高さ試験により、約１１０ｍｍ未満、約１００ｍｍ未満、約８０ｍｍ未満、約７８ｍｍ未満、又は約７６ｍｍ未満のバッグ内スタック高さを有してよい。あるいは、本明細書に記載されるバッグ内スタック高さテストによると、吸収性物品のパッケージは、約６８ｍｍ〜約１１０ｍｍ、又は約７２ｍｍ〜約８０ｍｍ、又は約７４ｍｍ〜約７８ｍｍのバッグ内スタック高さを有してもよく、具体的には、指定範囲内及びその中で又はそれによって形成される全ての範囲内の、０．５ｍｍの増分が全て列挙される。バッグ内スタック高さに関する更なる詳細は、２０１３年１１月１９日発行の米国特許第８，５８５，６６６号（Ｗｅｉｓｍａｎら）に開示されている。
【００７４】
バッグ内スタック高さ試験
本開示の吸収性物品のバッグ内スタック高さは、次のように測定される。
【００７５】
機器
おもりを加えるための水平摺動プレート（垂直平面で上下に動く水平プレート）を含むおむつパッケージ化万能試験機（ＵＤＰＴ）（モデル番号Ｍ−ＲＯＥＬ；機械番号ＭＫ−１０７１）。これは、吊るしたおもりで相殺されて、水平摺動プレートアセンブリからおむつパッケージに下方への力が加えられていないことを常に確実にする。ＵＤＰＴは、Ｍａｔｓｕｓｈｉｔａ  Ｉｎｄｕｓｔｒｙ  Ｃｏ．ＬＴＤ、７−２１−１０１  Ｍｉｄｏｒｉｇａｏｋａ−ｃｈｏ、Ａｓｈｉｙａ−ｃｉｔｙ、Ｈｙｏｇｏ、ＪＡＰＡＮ、郵便番号６５９−００１４から入手可能である。８５０ｇ（±０．５ｇ）のおもり。
【００７６】
定義
図１１に例示されるように、パッケージ１０００は、内部空間１００２を画定し、複数の吸収性物品１００４を含む。吸収性物品は、スタック１００６内にある。パッケージは、パッケージ幅１００８を有する。パッケージ幅１００８は、吸収性物品パッケージ１０００の同一の圧縮スタック軸１１００に沿った、２つの最高膨出点の間の最大距離として定義される。
【００７７】
バッグ内スタック高さ＝（パッケージ幅／１スタック当たりのパッド数）×吸収性物品１０枚。
【００７８】
装置較正
水平摺動プレートを、その底部が試験機底板に触れるまで引き下げる。
【００７９】
水平摺動スケールの横に位置するデジタルメーターを、ゼロの印に合わせる。
【００８０】
水平摺動プレートを上げて、試験機底板から離す。
【００８１】
試験手順
吸収性物品パッケージのサイドパネルの１つを、試験機底板の中央に立ててその幅に沿って置く。
【００８２】
試験されるパッケージに垂直摺動プレート（水平平面で左右に動く垂直プレート）が触れないように、垂直摺動プレートを確実に右に引く。
【００８３】
垂直摺動プレートに、８５０ｇのおもりを加える。
【００８４】
水平摺動プレートを、その底部がパッケージの所望の最も高い点に軽く触れるまで、下方にゆっくりと摺動させる。
【００８５】
パッケージの幅をｍｍで測定する（底板の頂部から、おむつパッケージの頂部までの距離）。
【００８６】
デジタルメーターに示される読み取り値を記録する。
【００８７】
８５０ｇのおもりを取り除く。
【００８８】
水平摺動プレートを上げて、おむつパッケージから離す。
【００８９】
吸収性物品パッケージを取り除く。
【００９０】
計算／記録
「バッグ内スタック高さ」＝（パッケージ幅／１スタック当たりのパッド数）×１０を計算及び記録する。サンプルの識別、すなわち、試験される製品の完全な記載（製品の商品名／サイズ）を記録する。
【００９１】
各幅の測定で測定した値を四捨五入して１ｍｍ単位で記録する。所定の製品に関して同じパッド数を有する少なくとも５つの吸収性物品パッケージをこの方法で測定し、バッグ内スタック高さの値を合計して、平均及び標準偏差を計算する。
【００９２】
測定されたパッケージの製造日を記録する（パッケージコーディングから得られる）。
【００９３】
試験日及び使用される分析方法を記録する。
【００９４】
本明細書に開示される寸法及び値は、列挙された正確な数値に厳密に制限されると理解されるべきでない。それよりむしろ、別途指定されない限り、このような寸法はそれぞれ、列挙された値とその値を囲む機能的に同等な範囲との両方を意味することを意図する。例えば、「４０ｍｍ」として開示される寸法は、「約４０ｍｍ」を意味するものとする。
【００９５】
相互参照される又は関連する任意の特許又は特許出願、及び本願が優先権又はその利益を主張する任意の特許出願又は特許などの、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆、又は開示するとはみなされない。更に、本文書中の用語の任意の意味又は定義が、参照により援用される文書中の同じ用語の意味又は定義と矛盾する場合には、本文書中のその用語に与えられた意味又は定義を優先するものとする。
【００９６】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのような全ての変更及び修正は、添付の特許請求の範囲にて網羅することを意図したものである。
【図１Ａ】
2017538501.tif 000003
【図１Ｂ】
2017538501.tif 000004
【図２Ａ】
2017538501.tif 000005
【図２Ｂ】
2017538501.tif 000006
【図３Ａ】
2017538501.tif 000007
【図３Ｂ】
2017538501.tif 000008
【図４Ａ】
2017538501.tif 000009
【図４Ｂ】
2017538501.tif 000010
【図５】
2017538501.tif 000011
【図６】
2017538501.tif 000012
【図７】
2017538501.tif 000013
【図８Ａ】
2017538501.tif 000014
【図８Ｂ】
2017538501.tif 000015
【図９】
2017538501.tif 000016
【図１０】
2017538501.tif 000017
【図１１】
2017538501.tif 000018
【国際調査報告】
2017538501.tif 000019
2017538501.tif 000020